(57)【特許請求の範囲】
【請求項１】
ワイヤによって昇降可能に吊り下げ支持された構造物と、
前記構造物の上方から延在するとともに先端が前記構造物に固定され、前記ワイヤに沿って所定間隔毎に円形状に湾曲形成された複数のリング部を有するケーブルと、
前記ケーブルを環状に変形させて形成された前記複数のリング部を有する余剰部分の接合部を固定する固定部材と、
前記ワイヤに沿って延在し、前記複数のリング部の各々を、周方向に沿った少なくとも２箇所において互いに連結するように設けられた屈曲自在な複数の紐部材と、
を備え、
上下に隣接する一方の前記リング部の前記固定部材は、左右方向一方側に配置され、他方の前記リング部の前記固定部材は、左右方向他方側に配設されていることを特徴とするケーブル設置構造。
【請求項２】
前記複数の紐部材は、前記リング部の周方向に沿って等間隔に設けられている
ことを特徴とする請求項１に記載のケーブル設置構造。
【請求項３】
前記複数の紐部材は、前記リング部の中心から見て互いに反対側に設けられた一対の紐部材である
ことを特徴とする請求項１又は２に記載のケーブル設置構造。
【請求項４】
前記ワイヤは、前記複数のリング部の内側を通るように配置されている
ことを特徴とする請求項１から３のいずれか１項に記載のケーブル設置構造。
【請求項５】
前記複数のリング部の夫々の外径は、略同一の大きさを有している
ことを特徴とする請求項１から４のいずれか１項に記載のケーブル設置構造。
【請求項６】
前記構造物の上面には、前記ケーブルの余剰部分を収納するための内部空間を規定する収納部が上方に向かって延びるように設けられている
ことを特徴とする請求項１から５のいずれか１項に記載のケーブル設置構造。
【請求項７】
前記収納部は、前記複数のリング部の外径より大きな内径を有する筒状部から構成される
ことを特徴とする請求項６に記載のケーブル設置構造。
【請求項８】
前記収納部は、前記構造物の上面のうち前記複数のリング部の径方向外側に前記ワイヤに沿って立設する少なくとも３つ以上の収納軸部から構成される
ことを特徴とする請求項６に記載のケーブル設置構造。
【請求項９】
ワイヤによって昇降可能に吊り下げ支持された構造物の上方から延在するとともに先端が前記構造物に固定されて、前記ワイヤに沿って所定間隔毎に円形状に湾曲形成された複数のリング部を有するケーブルを、前記構造物上に設置するためのケーブル設置方法であって、
前記構造物の上方への移動時に、前記ケーブルの複数のリング部のうち最も下方に位置するリング部の上部に他のリング部が順に積層されて、リング部の束の状態となって前記ケーブルが前記構造物上に設置され、
前記リング部は、前記ケーブルを環状に変形させて形成された環状の余剰部分の接合部を固定部材で固定して形成され、
上下に隣接する一方の前記リング部の前記固定部材は、左右方向一方側に配置され、他方の前記リング部の前記固定部材は、左右方向他方側に配設されている
ことを特徴とするケーブル設置方法。
【請求項１０】
前記構造物の上方への移動時には、前記構造物上に設けられた収納部内に、積層された複数の前記リング部の束を含むケーブルを設置する
ことを特徴とする請求項９に記載のケーブル設置方法。
【請求項１１】
前記構造物の上方への移動時には、前記ケーブルの前記複数のリング部の夫々に挿通された前記ワイヤに沿って前記リング部が上方へ移動する
ことを特徴とする請求項９に記載のケーブル設置方法。
【請求項１２】
前記リング部は、円柱状の棒状部材に前記ケーブルの余剰部分を巻きつけて形成されることを特徴とする請求項請求項９から１１のいずれか一項に記載のケーブル設置方法。
【発明の詳細な説明】
【技術分野】
【０００１】
本開示は、ワイヤによって昇降可能に吊り下げ支持された構造物の上方から延在するとともに先端が構造物に固定されたケーブルを構造物に上に設置可能なケーブル設置構造及びケーブル設置方法に関する。
【背景技術】
【０００２】
従来、配線用の電線やケーブル及びホース等の各種の線材を設置する方法には、例えば、線材をドーナツ状に巻回した状態に束ねて、段ボール箱状の線材収納筐に設置する方法がある（特許文献１参照）。このような線材の設置方法は、図７に示すように、ワイヤ繰出装置２０から繰り出されるワイヤ２１を介して昇降可能に吊り下げ支持された構造物３０の上方から延在して、先端が構造物３０に固定されるケーブル６０を、構造物３０上に設置する場合にも利用されている。
【０００３】
図７に示すワイヤ繰出装置２０は、構造物３０の上方に配設されたクレーン装置４０のフック４１に掛止支持されている。ワイヤ繰出装置２０から繰り出されるワイヤ２１は、鉛直方向下方へ延びて、ワイヤ２１の先端部が構造物３０に連結されている。構造物３０上にはケーブル６０の一端側の余剰部分３のケーブル６０がドーナツ状に巻回した状態で載置されている。この余剰部分３のケーブル６０は構造物３０上に設けられた容器６１内に収容されている。
【０００４】
この構造物３０が所定の下方位置Ｐ２に配置された状態でワイヤ繰出装置２０のワイヤ２１が巻き上げられると、構造物３０が上方へ移動するとともに、ケーブル６０が余剰部分３のケーブル６０上に積層される。一方、構造物３０が所定の上方位置から下方位置Ｐ２側へ降下すると、構造物３０上に積層されたケーブル６０が延びた状態に戻る。
【先行技術文献】
【特許文献】
【０００５】
【特許文献１】特開２００２−３７０８６６号公報
【発明の概要】
【発明が解決しようとする課題】
【０００６】
このような構造物３０の昇降動作が繰り返された場合、ドーナツ状に巻回された余剰部分３のケーブル６０の束６が偏った状態となって二点鎖線で示すように崩れる虞が生じる。ケーブル６０の束６が崩れると、構造物３０上に設けられた容器６１やその他の構造物にケーブル６０が接触して損傷する虞が生じる。
【０００７】
また、複数の構造物が所定の下方位置Ｐ２において隣接して配置され、複数の構造物の夫々に対応するワイヤ繰出装置から繰り出されるケーブルの余剰部分が構造物上に載置される場合、一方側の余剰部分のケーブルの束が崩れると、この束に繋がって上方へ延びるケーブルが隣接する他のケーブル側に接近して絡まる虞が生じる。
【０００８】
本発明の少なくとも一つの実施形態は、このような従来技術の状況の基になされた発明であって、その目的とするところは、ケーブルの束が崩れてケーブルが損傷し、またケーブルの束の崩れによって隣接する他のケーブルと絡まる虞のないケーブル設置構造及びケーブル設置方法を提供することにある。
【課題を解決するための手段】
【０００９】
（１）本発明の少なくとも一つの実施形態にかかるケーブル設置構造は、
ワイヤによって昇降可能に吊り下げ支持された構造物と、
前記構造物の上方から延在するとともに先端が前記構造物に固定され、前記ワイヤに沿って所定間隔毎に円形状に湾曲形成された複数のリング部を有するケーブルと、
前記ワイヤに沿って延在し、前記複数のリング部の各々を、周方向に沿った少なくとも２箇所において互いに連結するように設けられた屈曲自在な複数の紐部材と、
を備えるように構成される。
【００１０】
上記（１）に記載のケーブル設置構造は、ワイヤによって昇降可能に吊り下げ支持された構造物と、構造物の上方から延在するとともに先端が構造物に固定され、ワイヤに沿って所定間隔毎に円形状に湾曲形成された複数のリング部を有するケーブルと、ワイヤに沿って延在し、複数のリング部の各々を、周方向に沿った少なくとも２箇所において互いに連結するように設けられた屈曲自在な複数の紐部材と、を備える。このため、構造物の下方への移動時には、複数のリング部は上下方向に所定間隔を有して配置されて、ケーブルは延びた状態となる。一方、構造物の上方への移動時には、複数のリング部のうち最も下方に位置するリング部の上部に他のリング部が順に積層されて束の状態になる。この積層された複数のリング部の束は、リング部同士が積層してなるので、安定した状態の束となる。このため、束が崩れてケーブルが損傷する虞を抑制することができる。また、上下方向に隣接するリング部間には周方向に沿った少なくとも２本の紐部材が連結されているので、リング部上に積層される他のリング部の位置ずれを抑えることができる。このため、束が崩れる虞を小さくすることができ、ケーブルが構造物の周囲に配設された構造物に接触して損傷する虞を無くすことができる。また、ケーブルが複数のリング部を有して構成されているので、このケーブルに対して他のケーブルが隣接して上下方向に延在するように配置されている場合、隣接するケーブル同士が干渉しても、リング部が他のケーブルのリング部や上下方向に伸びる部分に絡まって結ばれる虞を無くすことができる。また、ケーブルが延びた状態になると、構造物上のケーブルの束は小さくなるので、束が崩れてケーブルが損傷する虞をより抑制することができる。よって、ケーブルの束が崩れてケーブルが損傷し、また他のケーブルと絡まる虞のないケーブル設置構造を実現できる。
【００１１】
（２）幾つかの実施形態では、上記（１）に記載のケーブル設置構造において、
前記複数の紐部材は、前記リング部の周方向に沿って等間隔に設けられているように構成される。
【００１２】
上記（２）に記載の実施形態によれば、複数の紐部材は、リング部の周方向に沿って等間隔に設けられている。ケーブルが延びた状態時には、上下方向に隣接するリング部同士の姿勢を略同じようにすることができる。このため、構造物の上方への移動時に、積層される複数のリング部同士の径方向の位置ずれをより小さくすることができる。このため、複数のリング部が積層された束が崩れる虞をより低減することができる。
【００１３】
（３）幾つかの実施形態では、上記（１）又は（２）に記載のケーブル設置構造において、
前記複数の紐部材は、前記リング部の中心から見て互いに反対側に設けられた一対の紐部材であるように構成される。
【００１４】
上記（３）に記載の実施形態によれば、複数の紐部材は、前記リング部の中心から見て互いに反対側に設けられた一対の紐部材であるので、複数のリング部の夫々は、ケーブルが吊り下げられた状態で、略水平方向に向いた姿勢になるとともに、上下方向に略同軸上に配置することができる。このため、構造物の上方への移動時に、積層される複数のリング部同士の径方向の位置ずれをより小さくすることができる。このため、複数のリング部が積層された束が崩れる虞をより低減することができる。
【００１５】
（４）幾つかの実施形態では、上記（１）から（３）のいずれか１項に記載のケーブル設置構造において、
前記ワイヤは、前記複数のリング部の内側を通るように配置されている。
【００１６】
上記（４）に記載の実施形態によれば、ワイヤは、複数のリング部の内側を通るように配置されている。このため、構造物の昇降時にリング部が径方向にずれようとするとワイヤにリング部が接触してリング部のずれを抑える。このため、複数のリング部が積層された束が崩れる虞をより低減することができる。また、リング部はワイヤに沿って移動するので、ワイヤとケーブルの干渉が無くなり、構造物をスムースに昇降移動させることができる。
【００１７】
（５）幾つかの実施形態では、上記（１）から（４）のいずれか１項に記載のケーブル設置構造において、
前記複数のリング部の夫々の外径は、略同一の大きさを有しているように構成される。
【００１８】
上記（５）に記載の実施形態によれば、複数のリング部の夫々の外径は、略同一の大きさを有しているので、構造物の上方への移動時に、複数のリング部同士が積層されると、外形が変形の小さい円柱状をしたケーブルの束を形成することができる。このため、積層されたケーブルの束はより安定した形状になり、ケーブルの束をより崩れにくくすることができる。
【００１９】
（６）幾つかの実施形態では、上記（１）から（５）のいずれか１項に記載のケーブル設置構造において、
前記昇降構造物の上面には、前記ケーブルの余剰部分を収納するための内部空間を規定する収納部が上方に向かって延びるように設けられているように構成される。
【００２０】
上記（６）に記載の実施形態によれば、昇降構造物の上面には、ケーブルの余剰部分を収納するための内部空間を規定する収納部が上方に向かって延びている。このため、積層された複数のリング部は、積層時に径方向に位置ずれが生じる虞があるときに、収納部の内壁に接触して位置ずれを抑えることができる。このため、収納部内に、位置ずれが小さく積層された複数のリング部の束を形成することができる。また、積層された複数のリング部の束が崩れようとしても、収納部によって束の崩れを防止することができる。
【００２１】
（７）幾つかの実施形態では、上記（６）に記載のケーブル設置構造において、
前記収納部は、積層される複数のリング部材の外径よりも大きな内径を有して上方へ延びる筒状部を有して構成されている。
【００２２】
上記（７）に記載の実施形態によれば、記収納部は、積層される複数のリング部材の外径よりも大きな内径を有して上方へ延びる筒状部を有しているので、収納部内に積層されたリング部の束が収容されると、束の外周面と収納部の内壁面との間の隙間の大きさを束の周方向において略均一にすることができる。このため、積層された複数のリング部の束の崩れをよりし難くすることができる。
【００２３】
（８）幾つかの実施形態では、上記（６）に記載のケーブル設置構造において、
前記収納部は、前記構造物の上面のうち前記複数のリング部の径方向外側に前記ワイヤに沿って立設する少なくとも３つ以上の収納軸部から構成される。
【００２４】
上記（８）に記載の実施形態によれば、収納部は、構造物の上面のうち複数のリング部の径方向外側にワイヤに沿って立設する少なくとも３つ以上の収納軸部から構成されるので、少なくとも３つ以上の収納軸部の内側に積層された複数のリング部の束を収納した場合、束が崩れそうになると、束が収納軸部に接触して束の崩れを規制する。このため、束が崩れてケーブルが損傷する虞を防止することができる。また、収納軸部が束の崩れを防止する手段とすることで、束の崩れ防止手段の構成を簡易化することができる。
【００２５】
（９）本発明の少なくとも一つの実施形態にかかるケーブル設置方法は、
ワイヤによって昇降可能に吊り下げ支持された構造物の上方から延在するとともに先端が前記構造物に固定されて、前記ワイヤに沿って所定間隔毎に円形状に湾曲形成された複数のリング部を有するケーブルを、前記構造物上に設置するためのケーブル設置方法であって、
前記構造物の上方への移動時に、前記ケーブルの複数のリング部のうち最も下方に位置するリング部の上部に他のリング部が順に積層されて、リング部の束の状態となって前記ケーブルが前記構造物上に設置されるように構成される。
【００２６】
上記（９）に記載のケーブル設置方法は、構造物の上方への移動時に、ケーブルの複数のリング部のうち最も下方に位置するリング部の上部に他のリング部が順に積層されて、リング部の束の状態となってケーブルが構造物上に設置される。構造物の上方への移動時には、複数のリング部のうち最も下方に位置するリング部の上部に他のリング部が順に積層されて束の状態になる。この束は、リング部同士が積層してなるので、安定した状態の束となる。このため、束が崩れてケーブルが損傷する虞を抑制することができる。また、上下方向に隣接するリング部間には紐部材で連結されているので、リング部上に積層される他のリング部の位置ずれを抑えることができる。このため、束が崩れる虞を小さくすることができ、また、構造物の周囲に他の構造物が配設されている場合において、ケーブルが構造物に接触して損傷する虞を無くすことができる。また、ケーブルは複数のリング部を有して構成されているので、このケーブルに対して他のケーブルが隣接配置されている場合、隣接するケーブル同士が干渉しても、ケーブル同士が絡まって結ばれる虞を無くすことができる。よって、ケーブルの束が崩れてケーブルが損傷し、また他のケーブルと絡まる虞のないケーブル設置方法を実現できる。
【００２７】
（１０）幾つかの実施形態では、上記（９）に記載のケーブル設置方法において、
前記構造物の上方への移動時には、前記構造物上に設けられた収納部内に、前記積層された複数の前記リング部の束を含むケーブルを設置するように構成される。
【００２８】
上記（１０）に記載の実施形態によれば、構造物の上方への移動時には、構造物上に設けられた収納部内に、積層された複数のリング部の束を含むケーブルを設置する。このため、積層された複数のリング部は、積層時に径方向に位置ずれが生じる虞があるときに、収納部の内壁に接触して位置ずれを抑えることができる。このため、収納部内に、位置ずれが小さく積層された複数のリング部の束を形成することができる。また、積層された複数のリング部の束が崩れようとしても、収納部によって束の崩れを防止することができる。
【００２９】
（１１）幾つかの実施形態では、上記（９）に記載のケーブル設置方法において、
前記構造物の上方への移動時には、前記ケーブルの前記複数のリング部の夫々に挿通された前記ワイヤに沿って前記リング部が上方へ移動するように構成される。
【００３０】
上記（１１）に記載の実施形態によれば、構造物の上方への移動時には、ケーブルの複数のリング部の夫々に挿通されたワイヤに沿ってリング部が上方へ移動する。このため、ケーブルの収納時にリング部が径方向にずれようとしたときに、ワイヤがリング部の径方向のずれを規制する。このため、積層されたリング部の束からのケーブルのはみ出しを抑えることができる。また、リング部はワイヤに沿って移動するので、ワイヤとケーブルの干渉が無く、構造物をスムースに昇降移動させることができる。
【発明の効果】
【００３１】
本発明の少なくとも幾つかの実施形態によれば、ケーブルの束が崩れてケーブルが損傷し、またケーブルの束の崩れによって隣接する他のケーブルと絡まる虞のないケーブル設置構造及びケーブル設置方法を提供することができる。
【図面の簡単な説明】
【００３２】
【図１】本発明の一実施形態にかかるケーブル設置構造を備えてワイヤ繰出装置及び昇降構造物間に吊下状態で設けられたケーブルの側面図である。
【図２】ケーブル設置構造を備えるケーブルの製造方法を説明するための図であり、同図２（ａ）はケーブルにリング部を形成するための説明図であり、同図２（ｂ）はリング部を備えるケーブルの概略構造図である。
【図３】リング部に紐部材を連結したケーブルの概略構造図である。
【図４】本発明の一実施形態にかかるケーブル設置構造を備えてワイヤ繰出装置によって構造物が上方位置にあるときのケーブルの側面図である。
【図５】本発明のケーブル設置構造を備えるケーブルが左右方向に隣接して配置された場合のケーブルの側面図である。
【図６】ケーブルの複数のリング部が積層された束を収納する収納部の平面図であり、同図（ａ）は収納部が筒状に形成された場合を示し、同図（ｂ）は収納部が複数の収納軸部から構成される場合を示す。
【図７】従来のケーブル設置構造を説明するためのケーブルの側面図である。
【発明を実施するための形態】
【００３３】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００３４】
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
【００３５】
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
【００３６】
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
【００３７】
一方、一の構成要素を「備える」、「具える」、「具備する」、「含む」、又は、「有する」という表現は、他の構成要素の存在を除外する排他的な表現ではない。
【００３８】
また、以下の説明において、同じ構成には同じ符号を付してその詳細な説明を省略する場合がある。
【００３９】
図１は、本発明の一実施形態にかかるケーブル設置構造を備えてワイヤ繰出装置２０及び構造物３０間に吊下状態で設けられたケーブル１の側面図であり、図２は、ケーブル設置構造を備えるケーブル１の製造方法を説明するための図であり、図２（ａ）はケーブル１にリング部２を形成するための説明図であり、図２（ｂ）はリング部２を備えるケーブル１の概略構造図であり、図３は、リング部２を備えるケーブル１の概略構造図であり、図４は、本発明の一実施形態にかかるケーブル設置構造を備えてワイヤ繰出装置２０によって構造物３０が上方位置Ｐ１にあるときのケーブル１の側面図であり、図７は、従来のケーブル設置構造を説明するためのケーブル６０の側面図である。
【００４０】
本発明の一実施形態にかかるケーブル設置構造を有したケーブルは、特に限定されないが、例えば、測定装置等の電気機器に電力を供給するための電線ケーブルに適用される。
【００４１】
本実施形態のケーブル設置構造は、図１に示したように、ワイヤ２１によって昇降可能に吊り下げ支持された構造物３０と、構造物３０の上方から延在するとともに先端が構造物３０に固定され、ワイヤ２１に沿って所定間隔毎に円形状に湾曲形成された複数のリング２部を有するケーブル１と、ワイヤ２１に沿って延在し、複数のリング部２の各々を、周方向に沿った少なくとも２箇所において互いに連結するように設けられた屈曲自在な複数の紐部材５と、を備えるように構成される。
【００４２】
図示した実施形態では、ワイヤ２１はワイヤ繰出装置２０から繰り出される。ワイヤ繰出装置２０は、クレーン装置４０に設けられたフック４１に掛止されて吊り下げ支持されている。ワイヤ繰出装置２０は、ワイヤ２１が巻回された図示しない回転胴部を回転可能に支持する本体部２２を備える。ワイヤ繰出装置２０は、本体部２２の下部からワイヤ２１を繰り出し及びワイヤ２１を巻き上げ可能であるとともに、ワイヤ２１に接続された構造物３０が急激に落下しないようにワイヤ２１の繰り出しを規制可能に構成されている。
【００４３】
本体部２２から繰り出されるワイヤ２１は、紐や針金などの細長い繊維または素線をさらに縒り合わせて屈曲可能である。ワイヤ２１の先端部には、構造物３０を吊り下げ支持可能な接続部２１ａが設けられている。
【００４４】
構造物３０は、図示した実施形態では、外観が直方体状に形成された物である。構造物３０の上面３０ａには、接続部２１ａが接続可能な掛止部３０ｂが設けられている。構造物３０の上面３０ａは平面状に形成されて、ケーブル１を載置可能である。なお、構造物３０は、コンテナ、原子炉の炉内構造物等でもよい。
【００４５】
ケーブル１は、構造物３０の上面３０ａにケーブル１の一端側が載置されてケーブル１の他端側がワイヤ繰出装置２０の本体部２２に環状に巻かれた状態で保持されている。ケーブル１は、配線用の電線に限るものではなく、ロープ及びホース等の各種の線材が含まれる。
【００４６】
ケーブル１は、図示した実施形態では、直線状に延びる直線部分４と環状に形成されたリング部２を有する余剰部分３とを有してなる。直線部分４はケーブル１の両端側に形成され、直線部分４の夫々の端部にはコネクタ７が接続されている。ここで、本願のケーブル１と比較対象とした従来のケーブル６０について説明する。ケーブル６０は、図７に示すように、構造物３０が所定の下方位置Ｐ２に配置されるようにワイヤ２１を繰り出すと、ケーブル６０はワイヤ繰出装置２０から構造物３０までが略直線状に延び、ケーブル６０の余った部分（余剰部分３）は、構造物３０の上面３０ａ上に巻回された状態で載置される。ワイヤ繰出装置２０から構造物３０までの距離ｈは、作業現場に応じて変わる。このため、ケーブル６０は、異なる作業現場でも対応できるように長めのものが使用される。したがって、ケーブル６０は、余剰部分３が存在する。この余剰部分３は、ドーナッツ状に積層された束６の状態であれば余剰部分３のケーブル６０が他の構造物に接触する虞が少ないので、損傷する虞はない。しかしながら、束６が崩れると、余剰部分３のケーブル６０が他の構造物に接触して損傷する虞が生じる。
【００４７】
一方、本願のケーブル１は、図示した実施形態では、図１に示すように、ケーブル１の余剰部分３には、ケーブル１の軸心方向に沿って所定間隔を有した形成された複数のリング部２が形成されている。リング部２は、図２（ａ）に示すように、円柱状の棒状部材１０（例えば、マンドレル）にケーブル１の余剰部分３を巻きつけてケーブル１を環状に変形させた後に、図２（ｂ）に示すように、棒状部材１０から１巻き分の余剰部分３を外し、この外された環状の余剰部分３の接合部３ａをクリップ等の固定部材１１で固定してリング部２を形成する。そして、棒状部材１０から１巻き分の余剰部分３を外して直線状に延ばした後に、さらに棒状部材１０から１巻き分の余剰部分３を外し、この外された環状の余剰部分３の接合部３ａを固定部材１１で固定する。この作業を繰りかえして余剰部分３に複数のリング部２を形成する。このため、複数のリング部２の夫々は、同一の外径寸法を有した円環状に形成される。
【００４８】
図示した実施形態では、余剰部分３の側面視において、上下に隣接する一方のリング部２の固定部材１１は、左右方向一方側に配設され、他方のリング部２の他方の固定部材１１は、左右方向他方側に配設されている。このため、上下に隣接するリング部２間を繋ぐ直線状に延びるケーブル１の余剰部分３'は、下方に向かってジグザグ状に延びる。
【００４９】
そして、図３に示すように、複数の紐部材５は、リング部２の周方向に沿って等間隔に設けられている。そして、複数の紐部材５は、リング部２の中心から見て互いに反対側に設けられた一対の紐部材である。図示した実施形態では、上下に隣接するリング部２の左右方向一方側端部間及び左右方向他方側端部間に紐部材５が連結されている。紐部材５は連結部材１２を介してリング部２に連結されている。紐部材５は屈曲自在な材料で形成されている。このため、複数のリング部２の夫々は、ケーブル１が吊り下げられた状態において、略水平方向に向いた姿勢になるとともに、上下方向に略同軸上に配置される。また、上下に隣接するリング部２間の距離ｘは一定である。
【００５０】
図６（ａ）は、筒状に形成された収納部１４の平面図を示す。構造物３０の上面３０ａには、図１及び図６（ａ）に示すように、ケーブル１の余剰部分３を収納するための内部空間１４ａを規定する収納部１４が上方に向かって延びるように設けられている。図示した実施形態では、収納部１４は、積層された複数のリング部２の束６の外径ｄよりも大きな内径Ａを有して上方へ延びる筒状部１４ｂを有して形成されている。
【００５１】
このように構成されたケーブル設置構造の複数のリング部２には、ワイヤ２１が、複数のリング部２の内側を通るように配置されている。このため、構造物３０の昇降時にリング部２が径方向にずると、ワイヤ２１にリング部２が接触してリング部２のずれを抑える。このため、複数のリング部２が積層された束６が崩れる虞をより低減することができる。また、リング部２はワイヤ２１に沿って移動するので、ワイヤ２１とケーブル１の干渉が無くなり、構造物３０をスムースに昇降移動させることができる。
【００５２】
このように構成されたケーブル設置構造において、構造物３０が所定の上方位置Ｐ１に移動する場合には、図４に示すように、ケーブル１の余剰部分３が縮まった状態となって、複数のリング部２のうち最も下方に位置するリング部２の上部に他のリング部２が順に積層された束６の状態になる。このリング部２の束６は、同一形状のリング部２同士が積層してなるので、安定した状態の束６となる。このため、束６が崩れてケーブル１が損傷する虞を抑制することができる。また、上下方向に隣接するリング部２間には２本の紐部材５で連結されているので、リング部２の姿勢を略水平状態にすることができる。このため、リング部２上に積層される他のリング部２の位置ずれが抑えられ、束６が崩れる虞を小さくすることができる。従って、ケーブル１が構造物３０の周囲に配設された構造物に接触して損傷する虞を無くすことができる。
【００５３】
一方、構造物３０が所定の下方位置Ｐ２に移動する場合、図５に示すように、ケーブル１の余剰部分３は延びた状態となる。そして、余剰部分３の複数のリング部２は上下方向に所定間隔を有して配置される。このため、このケーブル１に対して他のケーブル１'が隣接配置されている場合、隣接するケーブル１、１'同士が干渉しても、略水平方向に向いたリング部２同士が干渉するので、絡まって結ばれる虞はない。
【００５４】
また、構造物３０が所定の下方位置Ｐ２に移動すると、余剰部分３の複数のリング部２はワイヤ繰出装置２０に近接した上方位置Ｐ１まで延びるので、構造物３０上に載置される余剰部分３のリング部２の束６'を小さくすることができる。このため、この束６'が崩れてケーブル１が損傷する虞をより抑えることができる。
【００５５】
以上、本発明の好ましい形態について説明したが、本発明は上記の形態に限定されるものではなく、本発明の目的を逸脱しない範囲での種々の変更が可能である。
【００５６】
例えば、上述した実施形態では、本発明のケーブル設置構造の収納部１４が円筒状に形成された場合を例に説明したが、本発明のケーブル設置構造はこれに限定されるものではない。本発明のケーブル設置構造の収納部１４'は、構造物３０の上面３０ａのうち複数のリング部２の径方向外側にワイヤ２１に沿って立設する少なくとも３つ以上の収納軸部１５から構成される。図示した実施形態では、図６（ｂ）に示すように、積層される複数のリング部２の束６の径方向外側の周方向に所定間隔を有して構造物３０の上面３０ａに３つの収納軸部１５を配設して構成されている。
【００５７】
この場合、収納軸部１５は、円柱状に形成されるとともに、周方向に隣接する他の収納軸部との間で約１２０°の角度θを有した位置に配設されている。３つの収納軸部１５と複数のリング部２の束６のとの間の隙間ｔは束６を収容可能であるとともに、崩れそうになる束６を規制可能な大きさを有している。また、収納軸１５部の長さは、複数のリング部２の全てが積層されて形成される束６の高さよりも高い長さを有している。なお、収納軸部１５は、円形状の他、正方形状、長方形状、多角形状、及びこれらを組み合わせた形状等でもよい。また、収納軸部１５は、積層される複数のリング部の周方向に４つ以上に配設されてもよい。
【符号の説明】
【００５８】
１、６０  ケーブル
２  リング部
３  余剰部分
３ａ  接合部
４  直線部分
５  紐部材
６  束
７  コネクタ
１０  棒状部材
１１  固定部材
１２  連結部材
１４  収納部
１４ａ  内部空間
１４ｂ  筒状部
１５  収納軸部
２０  ワイヤ繰出装置
２１  ワイヤ
２１ａ  接続部
２２  本体部
３０  構造物
３０ａ  上面
３０ｂ  掛止部
４０  クレーン装置
４１  フック
Ｐ１  上方位置
Ｐ２  下方位置
【図１】
0006624914.tif 000002
【図２】
0006624914.tif 000003
【図３】
0006624914.tif 000004
【図４】
0006624914.tif 000005
【図５】
0006624914.tif 000006
【図６】
0006624914.tif 000007
【図７】
0006624914.tif 000008